(57)【要約】【課題】安価な構成でリアクタ印加電圧の電圧値を推定できる、リアクタ印加電圧推定装置を提供する。【解決手段】基本電圧値取得部４２１には、リアクタ印加電流の値を所定期間にわたって積算して得られる電流積算値と所定期間におけるリアクタ印加電流の電流ピーク値と基本電圧値との関係が記憶されている。この関係に従って、電流積算値および電流ピーク値に対応する基本電圧値が取得される。補正部４２２には、リアクタ温度、排ガス流量および補正値の関係が記憶されている。この関係からリアクタ温度および排ガス流量に応じた補正値が取得され、その補正値が基本電圧値に加算されることにより基本電圧値が補正値で補正され、その補正により得られる値がリアクタ電圧の電圧値として推定される。【選択図】図３
2018060597.tif 000002
【特許請求の範囲】
【請求項１】
プラズマリアクタの電極間に印加されるリアクタ印加電圧の電圧値を推定する装置であって、
前記プラズマリアクタの電極に印加されるリアクタ印加電流の値を所定期間にわたって積算して得られる電流積算値と前記所定期間における前記リアクタ印加電流の電流ピーク値と基本電圧値との関係を記憶する記憶手段と、
前記電流積算値を取得する積算値取得手段と、
前記電流ピーク値を取得するピーク値取得手段と、
前記記憶手段に記憶されている関係に従って、前記積算値取得手段によって取得される前記電流積算値および前記ピーク値取得手段によって取得される前記電流ピーク値に応じた前記基本電圧値を取得する基本電圧値取得手段と、
前記プラズマリアクタの温度と相関を有するリアクタ温度相関値に基づいて、前記基本電圧値取得手段によって取得される前記基本電圧値を補正し、その補正により得られる値を前記リアクタ印加電圧の電圧値として推定する補正推定手段とを含む、リアクタ印加電圧推定装置。
【発明の詳細な説明】
【技術分野】
【０００１】
本発明は、プラズマリアクタの電極間に印加されるリアクタ印加電圧の電圧値を推定する装置に関する。
【背景技術】
【０００２】
エンジン、とくにディーゼルエンジンから排出される排ガスには、ＣＯ（一酸化炭素）、ＨＣ（炭化水素）、ＮＯｘ（窒素酸化物）およびＰＭなどが含まれる。
【０００３】
排ガスに含まれるＰＭを除去する手法として、プラズマリアクタを用いて、排ガスに含まれるＰＭを除去する手法が提案されている。プラズマリアクタは、複数の電極パネルを備えている。電極パネルは、たとえば、誘電体に電極を内蔵した構成であり、複数の電極パネルは、排ガスの流れ方向と直交する方向に間隔を空けて対向配置される。プラズマリアクタ用電源装置から電極間に電圧が印加されると、誘電体バリア放電が生じて、電極パネル間に低温プラズマ（非平衡プラズマ）が発生し、電極パネル間を流れる排ガス中のＰＭが酸化により除去される。
【０００４】
プラズマリアクタの電源装置には、フライバック型昇圧トランスが備えられている。フライバック型昇圧トランスの一次コイルには、スイッチング素子が直列に接続され、その一次コイルとスイッチング素子との直列回路には、直流電源が接続されている。フライバック型昇圧トランスの二次コイルは、プラズマリアクタの電極に接続されている。
【０００５】
スイッチング素子がオンされると、フライバック型昇圧トランスの一次コイルに電流が流れ、一次コイルにエネルギが蓄積される。その後、スイッチング素子がオフされると、一次コイルに蓄積されたエネルギが開放されて、一次コイルに起電力が生じ、フライバック型昇圧トランスの二次コイルに巻数比に応じた二次電圧が発生する。スイッチング素子のオン／オフが繰り返されることにより、二次電圧がパルス的に発生し、パルス波状に変化する二次電圧がプラズマリアクタの電極間に印加される。
【先行技術文献】
【特許文献】
【０００６】
【特許文献１】特開２００２−１２９９４９号公報
【発明の概要】
【発明が解決しようとする課題】
【０００７】
プラズマリアクタにおける放電制御の一例では、排ガスに含まれるＰＭの量が取得されて、そのＰＭの量に応じた目標電圧値が設定される。そして、プラズマリアクタの電極間に印加されるリアクタ印加電圧の電圧値が目標電圧値に一致するように、電源装置のスイッチング素子のオン／オフが制御される。
【０００８】
かかる放電制御やプラズマリアクタの異常放電の発生を検知する処理では、リアクタ印加電圧の電圧値を取得する必要がある。リアクタ印加電圧は、たとえば、電圧センサを用いて測定することができる。しかしながら、リアクタ印加電圧は、数ｋＶ〜数十ｋＶの高電圧であり、その高電圧を測定可能な電圧センサは、生産が技術的に難しく、たとえ生産できたとしても高価になるので量産に不向きである。
【０００９】
本発明の目的は、安価な構成でリアクタ印加電圧の電圧値を推定できる、リアクタ印加電圧推定装置を提供することである。
【課題を解決するための手段】
【００１０】
前記の目的を達成するため、本発明に係るリアクタ印加電圧推定装置は、プラズマリアクタの電極間に印加されるリアクタ印加電圧の電圧値を推定する装置であって、プラズマリアクタの電極に印加される印加電流の値を所定期間にわたって積算して得られる電流積算値と所定期間における印加電流の電流ピーク値と基本電圧値との関係を記憶する記憶手段と、電流積算値を取得する積算値取得手段と、電流ピーク値を取得するピーク値取得手段と、記憶手段に記憶されている関係に従って、積算値取得手段によって取得される電流積算値およびピーク値取得手段によって取得される電流ピーク値に応じた基本電圧値を取得する基本電圧値取得手段と、プラズマリアクタの温度と相関を有するリアクタ温度相関値に基づいて、基本電圧値取得手段によって取得される基本電圧値を補正し、その補正により得られる値をリアクタ印加電圧の電圧値として推定する補正推定手段とを含む。
【００１１】
この構成によれば、記憶手段には、リアクタ印加電流の値を所定期間にわたって積算して得られる電流積算値と所定期間におけるリアクタ印加電流の電流ピーク値と基本電圧値との関係が記憶されている。この関係に従って、電流積算値および電流ピーク値に対応する基本電圧値が取得される。
【００１２】
記憶手段に記憶されている関係は、実測により求められる。すなわち、一定条件下で、プラズマリアクタの電極間に印加電流を印加して、リアクタ電流の電流積算値および電流ピーク値を取得するとともにリアクタ印加電圧を実測し、それらの電流積算値、電流ピーク値およびリアクタ印加電圧を互いに対応づける作業を、電流積算値および電流ピーク値が変化するように印加電流を調整して繰り返すことにより、電流積算値、電流ピーク値およびリアクタ印加電圧の関係が得られる。
【００１３】
しかしながら、その電流積算値、電流ピーク値およびリアクタ印加電圧の関係が一定条件下で求められた関係であるので、プラズマリアクタの温度（リアクタ温度）やプラズマリアクタを流れる排ガスの流量がその一定条件に含まれる温度条件や排ガス流量条件から乖離しているときには、記憶手段に記憶されている関係から取得される基本電圧値が実際のリアクタ印加電圧から乖離する。
【００１４】
そこで、リアクタ温度と相関を有するリアクタ温度相関値とプラズマリアクタを流れる排ガスの流量に基づいて、基本電圧値が補正され、この補正により得られる値がリアクタ印加電圧の推定値とされる。これにより、リアクタ温度と排ガスの流量にかかわらず、電圧センサを用いない安価な構成で、リアクタ印加電圧の電圧値を推定することができる。
【００１５】
リアクタ温度相関値は、リアクタ温度そのものであってもよいし、リアクタ温度と相関を有する値であれば、たとえば、プラズマリアクタの出口から流出するガスの温度であってもよい。
【００１６】
リアクタ温度が記憶手段に記憶されている関係を求めた際のリアクタ温度や排ガス流量に対して増減したときに、その関係から取得される基本電圧値が実際のリアクタ印加電圧から乖離するのは、リアクタ温度が高いほど電極間における放電が生じやすく排ガスの流量が多いほど電極間における放電が生じにくいという特性をプラズマリアクタが有しているからである。
【００１７】
したがって、補正推定手段は、リアクタ温度相関値およびプラズマリアクタを流れる排ガスの流量に基づいて、基本電圧値取得手段によって取得される基本電圧値を補正し、その補正により得られる値をリアクタ印加電圧の電圧値として推定してもよい。
【００１８】
これにより、プラズマリアクタが排ガスに含まれるＰＭの除去に用いられる場合にも、電圧センサを用いない安価な構成で、リアクタ印加電圧の電圧値を精度よく推定することができる。
【発明の効果】
【００１９】
本発明によれば、電圧センサを用いない安価な構成で、リアクタ印加電圧の電圧値を推定することができる。
【図面の簡単な説明】
【００２０】
【図１】プラズマリアクタの構成を図解的に示す断面図である。
【図２】プラズマリアクタ用電源装置の構成を示す回路図である。
【図３】本発明の一実施形態に係る制御装置の機能的構成を示すブロック図である。
【図４】リアクタ印加電流の波形を示す図である。
【図５】リアクタ印加電流の電流ピーク値、リアクタ印加電流の電流積算値および基本電圧値の関係を示す図である。
【図６】リアクタ温度、排ガス流量および補正値の関係を示す図である。
【発明を実施するための形態】
【００２１】
以下では、本発明の実施の形態について、添付図面を参照しつつ詳細に説明する。
【００２２】
＜プラズマリアクタ＞
図１は、プラズマリアクタ１の構成を図解的に示す断面図である。
【００２３】
プラズマリアクタ１は、車両のエンジン（図示せず）から排出される排ガスからＰＭを除去するために、たとえば、エキゾーストパイプなどの排気管２の途中部に介装される。プラズマリアクタ１は、ケース（ボディ）３と、ケース３内に収容された複数の電極パネル４とを備えている。
【００２４】
ケース３は、金属製であり、管状（筒状）に形成されている。ケース３の一方の開口は、排ガスを流入させる流入口であり、他方の開口は、排ガスを流出させる流出口である。エンジンから排気管２に排出される排ガスは、排気管２を流通する途中で、流入口からケース３内に流入して、ケース３内を流通し、流出口から流出する。
【００２５】
電極パネル４は、誘電体からなる平板状の誘電体平板５に電極６が厚さ方向に挟み込まれた構成を有している。誘電体平板５の材料である誘電体としては、Ａｌ２Ｏ３（アルミナ）を例示することができる。電極６の材料としては、タングステンを例示することができる。
【００２６】
複数の電極パネル４は、たとえば、ケース３の中心線と直交する方向に間隔を空けて、互いに平行をなして（それぞれケース３の中心線方向に延びるように）配置されている。各電極パネル４の電極６は、積層方向と直交する平面に沿う方向で同じ位置に配置され、それらの周縁は、積層方向に互いに対向している（積層方向に重なり合っている）。
【００２７】
電極パネル４の電極６には、電極パネル４の積層方向の一方側から順に、プラス配線７およびマイナス配線８が交互に接続されている。プラス配線７およびマイナス配線８は、それぞれプラズマリアクタ用電源装置９のプラス端子およびマイナス端子と電気的に接続されている。
【００２８】
積層方向に互いに隣り合う電極パネル４の電極６間には、プラズマリアクタ用電源装置９から出力されるパルス波状の高電圧が印加される。この高電圧が電極６間に印加されることにより、電極パネル４間に誘電体バリア放電が生じ、その誘電体バリア放電によるプラズマが発生する。一方、電極パネル４間には、ケース３の流入口側の端部から排ガスが流入し、その排ガスが流出口側の端部に向けて流通する。電極パネル４間におけるプラズマの発生によって、電極パネル４間を流通する排ガスに含まれるＰＭが酸化（燃焼）されて除去される。
【００２９】
＜プラズマリアクタ用電源装置＞
図２は、プラズマリアクタ用電源装置９の構成を示す回路図である。
【００３０】
プラズマリアクタ用電源装置９は、フライバック型昇圧トランス１１、通電制御用ＭＯＳＦＥＴ１２、ゲートドライブ回路１３および制御装置１４を備えている。
【００３１】
フライバック型昇圧トランス１１は、一次コイル２１および二次コイル２２を有している。一次コイル２１の一端は、配線２３に接続されている。一次コイル２１の他端は、通電制御用ＭＯＳＦＥＴ１２を介して、グランドに接続（接地）されている。二次コイル２２の一端および他端は、それぞれプラス端子およびマイナス端子を介して、プラズマリアクタ１において積層方向に互いに隣り合う電極パネル４の電極６に接続されている。
【００３２】
通電制御用ＭＯＳＦＥＴ１２は、たとえば、エンハンスメント型のｎＭＯＳＦＥＴであり、そのドレインがフライバック型昇圧トランス１１の一次コイル２１の他端に接続され、ソースがグランドに接続されている。
【００３３】
配線２３には、ヒューズ２４を介して、直流電源であるバッテリ２５のプラス端子が接続されている。バッテリ２５は、たとえば、公称電圧が１２Ｖの鉛電池である。
【００３４】
ゲートドライブ回路１３は、通電制御用ＭＯＳＦＥＴ１２のゲートにパルス電圧（ゲート電圧）を印加する回路である。
【００３５】
制御装置１４は、マイコン（マイクロコントローラユニット）を含む構成であり、車両に搭載された複数のＥＣＵ（Electronic Control Unit：電子制御ユニット）のうちの１つであってもよいし、ＥＣＵの１つに組み込まれていてもよい。マイコンには、たとえば、ＣＰＵ、ＲＯＭおよびＲＡＭ、データフラッシュ（フラッシュメモリ）などが内蔵されている。
【００３６】
制御装置１４は、ゲートドライブ回路１３を制御し、ゲートドライブ回路１３からのパルス電圧（ゲート電圧）の出力／停止を切り替える。制御装置１４からゲートドライブ回路１３にオン指示信号が入力されると、ゲートドライブ回路１３から出力されるパルス電圧が立ち上がり、そのパルス電圧が通電制御用ＭＯＳＦＥＴ１２のゲートに印加されることにより、通電制御用ＭＯＳＦＥＴ１２がオンになる。制御装置１４からゲートドライブ回路１３にオフ指示信号が入力されると、ゲートドライブ回路１３から出力されるパルス電圧が立ち下がり、通電制御用ＭＯＳＦＥＴ１２のゲートへのパルス電圧の印加がなくなることにより、通電制御用ＭＯＳＦＥＴ１２がオフになる。
【００３７】
通電制御用ＭＯＳＦＥＴ１２がオンになると、フライバック型昇圧トランス１１の一次コイル２１にバッテリ２５の電圧が一次電圧として印加され、一次コイル２１にエネルギが蓄積される。その後、通電制御用ＭＯＳＦＥＴ１２がオフになると、一次コイル２１に蓄積されたエネルギが開放されて、一次コイル２１に起電力が生じ、フライバック型昇圧トランス１１の二次コイル２２に巻数比に応じた二次電圧が発生する。通電制御用ＭＯＳＦＥＴ１２のオン／オフが繰り返されることにより、二次電圧がパルス的に発生し、パルス波状に変化する二次電圧がプラズマリアクタ１の電極６間に印加される。
【００３８】
制御装置１４には、電流センサ３１が接続されている。電流センサ３１は、プラズマリアクタ用電源装置９からプラズマリアクタ１に印加されるリアクタ印加電流を検出し、その電流値に応じた検出信号を出力する。
【００３９】
＜制御装置の機能的構成＞
図３は、本発明の一実施形態に係る制御装置１４の機能的構成を示すブロック図である。図４は、リアクタ印加電流の波形を示す図である。図５は、リアクタ印加電流の電流ピーク値、リアクタ印加電流の電流積算値および基本電圧値の関係を示す図である。図６は、リアクタ温度、排ガス流量および補正値の関係を示す図である。
【００４０】
制御装置１４は、電流積算・ピーク検出回路４１、印加電圧推定部４２、目標電圧設定部４３、減算部４４および信号出力部４５を備えている。
【００４１】
電流積算・ピーク検出回路４１は、電流センサ３１によって検出されるリアクタ印加電流の電流値を積算して電流積算値を出力する電流積算回路と、リアクタ印加電流のピーク値（最大値）である電流ピーク値を検出するピーク検出回路とが並列に設けられた構成のアナログ回路である。
【００４２】
電流積算回路は、たとえば、積分回路、反転増幅器およびピークホールド・リセット回路を含むアナログ回路からなる。
【００４３】
積分回路には、電流センサ３１の検出信号（電圧）が入力され、積分回路からは、その入力電圧の時間積分に比例した電圧が出力される。
【００４４】
反転増幅器には、積分回路の出力電圧が入力され、反転増幅器からは、その入力電圧が反転および増幅されて出力される。
【００４５】
ピークホールド・リセット回路には、反転増幅器の出力電圧が入力される。ピークホールド・リセット回路には、反転増幅器の出力電圧が入力される。ピークホールド・リセット回路は、一般的なピークホールド回路とリセット回路とを組み合わせたものである。反転増幅器からの入力電圧がピークホールド回路のホールドコンデンサの電圧よりも大きいときには、ホールドコンデンサが充電される。一方、反転増幅器からの入力がホールドコンデンサの電圧以下であるときには、ホールドコンデンサの電圧が保持（ホールド）される。ピークホールド回路からは、ホールドコンデンサの電圧がインピーダンス変換されて出力される。リセット回路は、ホールドコンデンサと並列に設けられるリセットスイッチをオン／オフする回路である。リセット回路にリセット信号が入力されると、リセット回路からリセットスイッチに信号が入力されて、リセットスイッチがオンになる。リセットスイッチのオンにより、ホールドコンデンサに蓄積された電荷が開放（放電）される。
【００４６】
制御装置１４からゲートドライブ回路１３（図２参照）へのオン指示信号が出力される度に、そのオン指示信号の出力からオフ指示信号の出力までの期間内に、リセット回路にリセット信号が入力される。これにより、電流積算回路からは、プラズマリアクタ用電源装置９からパルス波状の二次電圧が１パルス出力される度に、リアクタ印加電流が正の値をとる期間における電流積算値（図４にハッチングを付して概念的に示す。）に応じた電圧が出力される。
【００４７】
ピーク検出回路は、たとえば、ハイパス回路、反転増幅器およびピークホールド・リセット回路を含むアナログ回路からなる。
【００４８】
ハイパス回路（微分回路）には、電流センサ３１の検出信号（電圧）が入力され、ハイパス回路からは、その入力電圧の時間微分（傾き）に比例した電圧が出力される。
【００４９】
反転増幅器には、ハイパス回路の出力電圧が入力され、反転増幅器からは、その入力電圧が反転および増幅されて出力される。
【００５０】
ピークホールド・リセット回路には、反転増幅器の出力電圧が入力される。ピークホールド・リセット回路は、一般的なピークホールド回路とリセット回路とを組み合わせたものであり、電流積算回路のピークホールド・リセット回路と同一の構成である。
【００５１】
制御装置１４からゲートドライブ回路１３（図２参照）へのオン指示信号が出力される度に、そのオン指示信号の出力からオフ指示信号の出力までの期間内に、リセット回路にリセット信号が入力される。これにより、ピーク検出回路からは、プラズマリアクタ用電源装置９からパルス波状の二次電圧が１パルス出力される度に、図４に示されるように、リアクタ印加電流が正の値をとる期間におけるピーク値（最大値）に応じた電圧が出力される。
【００５２】
印加電圧推定部４２は、図３に示されるように、基本電圧値取得部４２１および補正部４２２を備えている。
【００５３】
基本電圧値取得部４２１には、電流積算・ピーク検出回路４１から電流積算値および電流ピーク値が入力される。基本電圧値取得部４２１には、リアクタ印加電流の電流ピーク値、リアクタ印加電流の電流積算値および基本電圧値の関係が記憶されている。それらの関係は、予め実測により求められて、図５に示されるように、複数の異なる電流ピーク値の各値に電流積算値と基本電圧値との関係を示すマップを対応づけた形態で記憶されている。
【００５４】
基本電圧値取得部４２１は、電流積算・ピーク検出回路４１から入力される電流ピーク値に応じたマップに従って、電流積算・ピーク検出回路４１から入力される電流積算値に対応する基本電圧値を取得する。
【００５５】
補正部４２２には、基本電圧値取得部４２１で取得された基本電圧値が入力される。また、補正部４２２には、プラズマリアクタ１の温度であるリアクタ温度およびプラズマリアクタ１を流れる排ガスの流量（排ガス流量）が入力される。補正部４２２には、リアクタ温度、排ガス流量および補正値の関係が記憶されている。それらの関係は、予め実測により求められて、図６に示されるように、複数の異なる排ガス流量の各値にリアクタ温度と補正値との関係を示すマップを対応づけた形態で記憶されている。
【００５６】
補正部４２２は、排ガス流量に応じたマップから、リアクタ温度および排ガス流量に対応する補正値を取得して、その補正値を基本電圧値取得部４２１から入力される基本電圧値に加算することにより基本電圧値を補正値で補正し、その補正により得られる値（加算値）をリアクタ電圧の電圧値として推定する。
【００５７】
リアクタ温度は、プラズマリアクタ１内に温度センサが取り付けられて、その温度センサにより検出されてもよいし、プラズマリアクタ１のケース３の流出口から流出するガスの温度（出ガス温度）を検出する温度センサが設けられて、その温度センサにより検出される出ガス温度から推定されてもよい。
【００５８】
また、リアクタ温度と出ガス温度とは、リアクタ温度が高いほど出ガス温度が高くなる関係を有しているので、リアクタ温度、排ガス流量および補正値の関係に代えて、出ガス温度、排ガス流量および補正値の関係が制御装置１４の不揮発性メモリに記憶されて、その関係から、出ガス温度および排ガス流量に対応する補正値が取得されてもよい。
【００５９】
目標電圧設定部４３は、プラズマリアクタ１に印加されるリアクタ印加電圧の目標値（目標電圧値）を設定する。具体的には、目標電圧設定部４３は、エンジン（図示せず）から排出される排ガスの空燃比を取得し、空燃比から排ガスの単位体積に含まれるＰＭ量を求める。そして、目標電圧設定部４３は、その求めたＰＭ量に応じた目標電圧値を設定する。
【００６０】
減算部４４は、目標電圧設定部４３により設定される目標電圧値から印加電圧推定部４２により推定されるリアクタ印加電圧の電圧値を減算する。
【００６１】
信号出力部４５は、減算部４４により演算された減算値が０に近づくように、ゲートドライブ回路１３へのオン指示信号およびオフ指示信号の入力を制御し、通電制御用ＭＯＳＦＥＴ１２のオン／オフを制御する。
【００６２】
＜作用効果＞
以上のように、基本電圧値取得部４２１には、リアクタ印加電流の値を所定期間にわたって積算して得られる電流積算値と所定期間におけるリアクタ印加電流の電流ピーク値と基本電圧値との関係が記憶されている。この関係に従って、電流積算値および電流ピーク値に対応する基本電圧値が取得される。
【００６３】
基本電圧値取得部４２１に記憶されている関係は、実測により求められたものである。すなわち、一定条件下で、プラズマリアクタ１の電極間に印加電流を印加して、リアクタ電流の電流積算値および電流ピーク値を取得するとともにリアクタ印加電圧を実測し、それらの電流積算値、電流ピーク値およびリアクタ印加電圧を互いに対応づける作業を、電流積算値および電流ピーク値が変化するように印加電流を調整して繰り返すことにより、電流積算値、電流ピーク値およびリアクタ印加電圧の関係が得られる。
【００６４】
しかしながら、その電流積算値、電流ピーク値およびリアクタ印加電圧の関係が一定条件下で求められた関係であるので、たとえば、リアクタ温度がその一定条件に含まれる温度条件から乖離しているときには、基本電圧値取得部４２１に記憶されている関係から取得される基本電圧値が実際のリアクタ印加電圧から乖離する。この乖離が生じるのは、プラズマリアクタ１の放電状態がリアクタ温度によって変化するからである。プラズマリアクタ１の放電状態は、プラズマリアクタ１を流れる排ガスの流量によっても変化する。
【００６５】
補正部４２２には、リアクタ温度、排ガス流量および補正値の関係が記憶されている。この関係からリアクタ温度および排ガス流量に応じた補正値が取得され、その補正値が基本電圧値に加算されることにより基本電圧値が補正値で補正され、その補正により得られる値がリアクタ電圧の電圧値として推定される。これにより、リアクタ温度および排ガス流量にかかわらず、電圧センサを用いない安価な構成で、リアクタ印加電圧の電圧値を精度よく推定することができる。
【００６６】
＜変形例＞
以上、本発明の一実施形態について説明したが、本発明は、他の形態で実施することもできる。
【００６７】
たとえば、前述の実施形態では、補正部４２２には、リアクタ温度、排ガス流量および補正値の関係が記憶されており、その関係からリアクタ温度および排ガス流量に対応する補正値が取得されて、その補正値で基本電圧値を補正することにより、リアクタ電圧の電圧値が推定されるとした。
【００６８】
しかしながら、必ずしもそれに限らず、リアクタ温度と補正値との関係が補正部４２２に記憶されて、その関係からリアクタ温度に対応する補正値が取得されて、その補正値で基本電圧値が補正されてもよいし、排ガス流量と補正値との関係が補正部４２２に記憶されて、その関係から排ガス流量に対応する補正値が取得されて、その補正値で基本電圧値が補正されてもよい。
【００６９】
また、通電制御用ＭＯＳＦＥＴ１２に代えて、ＩＧＢＴなど、他のスイッチング素子が採用されてもよい。
【００７０】
その他、前述の構成には、特許請求の範囲に記載された事項の範囲で種々の設計変更を施すことが可能である。
【符号の説明】
【００７１】
１：プラズマリアクタ
６：電極
１４：制御装置（リアクタ印加電圧推定装置）
４１：電流積算・ピーク検出回路（積算値取得手段、ピーク値取得手段）
４２１：基本電圧値取得部（記憶手段、基本電圧値取得手段）
４２２：補正部（補正推定手段）
【図１】
2018060597.tif 000003
【図２】
2018060597.tif 000004
【図３】
2018060597.tif 000005
【図４】
2018060597.tif 000006
【図５】
2018060597.tif 000007
【図６】
2018060597.tif 000008